(57)【要約】【課題】使用者が任意にかつ容易に待機時電力削減をできるようにした加熱調理器を提供すること。【解決手段】電源回路３と制御手段１との間に設けられ制御手段１への電力を供給する電力開閉手段４と、複数の加熱手段２の各加熱モードを選択する加熱方法選択手段５と、加熱条件を設定する加熱条件設定手段６とを備え、加熱方法選択手段５には、電力開閉ＯＦＦモードを設け、加熱方法選択手段５にて加熱モードを選択している時には電力開閉手段４により制御手段１に電力を供給し、かつ、電力開閉信号ＯＦＦモードの場合には前記制御手段１に電力を供給しない構成とすることで、使用者が機器使用を止めたいときに任意に制御手段１への電力供給が遮断することができる。【選択図】図１
2006017447.tif 000002
【特許請求の範囲】
【請求項１】
調理物を加熱する複数の加熱手段と、複数の加熱手段を制御する制御手段と、前記制御手段へ電力を供給する電源回路と、前記電源回路と前記制御手段との間に設けられ前記制御手段への電力を供給する電力開閉手段と、前記複数の加熱手段の各加熱モードを選択する加熱方法選択手段と、加熱条件を設定する加熱条件設定手段とを備え、前記加熱方法選択手段には、電力開閉ＯＦＦモードを設け、前記加熱方法選択手段にて加熱モードを選択している時には前記電力開閉手段により前記制御手段に電力を供給し、かつ、電力開閉信号ＯＦＦモードの場合には前記制御手段に電力を供給しない構成とした加熱調理器。
【請求項２】
加熱条件設定手段は、電力開閉手段により制御手段への電源供給が遮断された場合に、その動作継続を不可としてなる請求項１記載の加熱調理器。
【請求項３】
加熱方法選択手段は、機械的接点を利用してなる請求項１記載の加熱調理器。
【請求項４】
加熱方法選択手段に、ロータリースイッチを用いた請求項３に記載の加熱調理器。
【発明の詳細な説明】
【技術分野】
【０００１】
本発明は、使用者が任意にかつ容易に待機時電力削減をできるようにした加熱調理器に関するものである。
【背景技術】
【０００２】
従来、この種の加熱調理器、またはこれに類する家電機器は、機器のドアの開成や閉成に応じて機器内部の制御手段への電力供給を行い、かつ電力供給保持は制御手段からの信号で行っており、あらかじめ決められた所定時間後に電力供給を遮断するように制御手段にて制御されている（例えば、特許文献１参照）。
【０００３】
図２は、特許文献１に記載された従来の家電機器を示すものである。図２に示すように、ドアスイッチ１４の開成／閉成の遷移を検出するドア検出手段１６と、機器を制御する制御手段１１と、制御手段１１へ電力を供給する電源回路１２と、電源回路１２と制御手段１１との間に設けた電力開閉手段１３と、機器を動作させる条件を制御手段１１へ入力するキー入力手段１０から構成されている。
【特許文献１】特開２００２−２２１８１号公報
【発明の開示】
【発明が解決しようとする課題】
【０００４】
しかしながら、従来の構成では、機器のドアに連動したドアスイッチの開閉状態を検出して、その検出信号にて電力開閉手段をＯＮして制御手段に電力供給を行い、その後に制御手段から電力開閉手段をＯＮしつづける信号を入力して、制御手段への電力供給を行っており、かつ所定時間内で機器を操作しなければ制御手段から電力開閉手段をＯＮしつづける信号を出力しないようにすることで、電力開閉手段をＯＦＦさせて制御手段への電力供給を遮断している。
【０００５】
ここでは、キー入力手段を操作しない状態が所定時間、すなわちあらかじめ制御手段に記憶されている時間を経過するまでは制御手段からの電力開閉手段をＯＮしつづける信号が出力されるため、その間は制御手段への電力供給が継続しており、その分の待機時電力が消費されているという課題を有していた。
【０００６】
本発明は、従来の課題を解決するもので、使用者が任意にかつ容易に待機時電力削減をできるようにした加熱調理器を提供することを目的とする。
【課題を解決するための手段】
【０００７】
従来の課題を解決するために、本発明の加熱調理器は、調理物を加熱する複数の加熱手段と、複数の加熱手段を制御する制御手段と、前記制御手段へ電力を供給する電源回路と、前記電源回路と前記制御手段との間に設けられ前記制御手段への電力を供給する電力開閉手段と、前記複数の加熱手段の各加熱モードを選択する加熱方法選択手段と、加熱条件を設定する加熱条件設定手段とを備え、前記加熱方法選択手段には、電力開閉ＯＦＦモードを設け、前記加熱方法選択手段にて加熱モードを選択している時には前記電力開閉手段により前記制御手段に電力を供給し、かつ、電力開閉信号ＯＦＦモードの場合には前記制御手段に電力を供給しないことを特徴にしたものである。
【０００８】
これによって、使用者が加熱調理器を使用する際に、加熱方法選択手段を操作して加熱モードを選択すると、電力開閉手段がＯＮされて制御手段に電力が供給され、引き続き加熱条件設定手段を操作して加熱調理を開始させることができる。加熱方法選択手段を操作して電力開閉ＯＦＦモードを選択すると、電力開閉手段がＯＦＦして制御手段への電力供給が遮断される。すなわち、使用者が加熱モードを選択するのと同様の操作方法で電力開閉ＯＦＦモードを選択して電力開閉手段をＯＦＦできるため、使用者が機器使用を止めたいときに任意に制御手段への電力供給が遮断することができる。
【発明の効果】
【０００９】
本発明の加熱調理器は、使用者が複数の加熱モードかまたは電力開閉ＯＦＦモードかをあらかじめどれか１つに選択されている状態となる加熱方法選択手段を用いて選択することで制御手段への電力の供給・遮断を選択できるようにしたことで、使用者が任意にかつ容易に待機時電力削減をできるようにすることができる。
【発明を実施するための最良の形態】
【００１０】
第１の発明は、調理物を加熱する複数の加熱手段と、複数の加熱手段を制御する制御手段と、前記制御手段へ電力を供給する電源回路と、前記電源回路と前記制御手段との間に設けられ前記制御手段への電力を供給する電力開閉手段と、前記複数の加熱手段の各加熱モードを選択する加熱方法選択手段と、加熱条件を設定する加熱条件設定手段とを備え、前記加熱方法選択手段には、電力開閉ＯＦＦモードを設け、前記加熱方法選択手段にて加熱モードを選択している時には前記電力開閉手段により前記制御手段に電力を供給し、かつ、電力開閉信号ＯＦＦモードの場合には前記制御手段に電力を供給しない構成にしたことにより、使用者が加熱調理器を使用する際に、加熱方法選択手段を操作して加熱モードを選択すると、電力開閉手段がＯＮされて制御手段に電力が供給され、引き続き加熱条件設定手段を操作して加熱調理を開始させることができる。加熱方法選択手段を操作して電力開閉ＯＦＦモードを選択すると、電力開閉手段がＯＦＦして制御手段への電力供給が遮断される。
【００１１】
すなわち、使用者が加熱モードを選択するのと同様の操作方法で電力開閉ＯＦＦモードを選択して電力開閉手段をＯＦＦできるため、使用者が機器使用を止めたいときに任意に制御手段への電力供給が遮断することができる。
【００１２】
第２の発明は、第１の発明の加熱調理器の加熱条件設定手段として、電力開閉手段により制御手段への電源供給が遮断された場合に、その動作継続を不可とすることで、制御手段への電力供給遮断時に、確実に加熱条件設定手段の動作が停止することが出き、使用者にとって、機器が誤動作等していうような誤解を未然に防止することができる。
【００１３】
第３の発明は、加熱方法選択手段に機械的接点を利用することで、電力開閉手段を駆動制御する場合に、制御手段への電力供給遮断の過渡状態においても、確実に、電力開閉手段のＯＦＦ信号を供給することができ、不安定動作を確実に防止することができる。
【００１４】
第４の発明は、第１の発明の加熱調理器の加熱方法選択手段に、ロータリースイッチを用いることにより、使用者が複数の加熱モードかまたは電力開閉ＯＦＦモードのどれか１つのモードを選択するのに、ロータリースイッチの回転軸に接続された回転つまみを回転させるだけの動作を用いてモード選択できるため、待機時電力削減するための操作がより簡単になる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における加熱調理器の構成図を示すものである。
【００１７】
図１において、調理物を加熱する複数の加熱手段２と、複数の加熱手段２を制御する制御手段１と、前記制御手段１へ電力を供給する電源回路３と、前記電源回路３と前記制御手段１との間に設けられ前記制御手段１への電力を開閉する電力開閉手段４と、前記加熱手段２を用いた複数の加熱モードかまたは電力開閉ＯＦＦモードかをあらかじめどれか１つに選択されている状態となる加熱方法選択手段５と、加熱条件を設定する加熱条件設定手段６とを設けている。
【００１８】
以上のように構成された加熱調理器について、以下その動作、作用を説明する。
【００１９】
使用者が加熱調理器を使用する場合、複数の加熱モードかまたは電力開閉ＯＦＦモードかをあらかじめどれか１つに選択されている状態となる加熱方法選択手段５と、加熱条件を設定する加熱条件設定手段６を操作することで、所定の加熱方法、加熱条件を実行させるが、前記加熱方法選択手段５にて加熱モードを選択している時には前記電力開閉手段４がＯＮされ、電力開閉信号ＯＦＦモードを選択している時には前記電力開閉手段４をＯＦＦさせる構成にしたことにより、使用者が加熱調理器を使用する際に、加熱方法選択手段５を操作して加熱モードを選択すると、電力開閉手段がＯＮされて制御手段に電力が供給され、引き続き加熱条件設定手段６を操作して加熱調理を開始させることができる。加熱方法選択手段５を操作して電力開閉ＯＦＦモードを選択すると、電力開閉手段４がＯＦＦして制御手段１への電力供給が遮断される。
【００２０】
すなわち、使用者が加熱モードを選択するのと同様の操作方法で電力開閉ＯＦＦモードを選択して電力開閉手段４をＯＦＦできるため、使用者が機器使用を止めたいときに任意に制御手段への電力供給が遮断することができる。
【００２１】
以上のように、本実施の形態においては、前記加熱方法選択手段５にて加熱モードを選択している時には前記電力開閉手段４がＯＮされ、電力開閉信号ＯＦＦモードを選択している時には前記電力開閉手段４をＯＦＦさせる構成にしたことにより、使用者が加熱調理器を使用する際に、加熱方法選択手段５を操作して加熱モードを選択すると、電力開閉手段がＯＮされて制御手段に電力が供給され、引き続き加熱条件設定手段６を操作して加熱調理を開始させることができる。加熱方法選択手段５を操作して電力開閉ＯＦＦモードを選択すると、電力開閉手段４がＯＦＦして制御手段１への電力供給が遮断される。すなわち、使用者が加熱モードを選択するのと同様の操作方法で電力開閉ＯＦＦモードを選択して電力開閉手段４をＯＦＦできるため、使用者が機器使用を止めたいときに任意に制御手段への電力供給が遮断することができるため、使用者が加熱調理器の使用を終了して加熱方法選択手段５を操作して電力開閉ＯＦＦモードを選択したときから、制御手段１への電力供給を遮断できる為、無駄な待機時電力を削減することができる。
【００２２】
（実施の形態２）
次に、電力開閉手段により制御手段への電源供給が遮断された場合に、加熱条件設定手段の動作継続を不可とすることで、制御手段への電力供給遮断時に、確実に加熱条件設定手段の動作が停止することが出き、使用者にとって、機器が誤動作等していうような誤解を未然に防止することができる。
【００２３】
具体的には、加熱条件設定手段に、従来のようなメカタイマー等を使用するのでは無く、エンコーダー等を活用することにより、制御手段への電力供給が遮断されたときには、加熱条件設定手段への電力供給も、電気的に同時に遮断することが出き、メカタイマーのように、不用意に動作を継続しつづける事を防ぐことができる。
【００２４】
（実施の形態３）
また、加熱方法選択手段に機械的接点を利用することで、電力開閉手段を駆動制御する場合に、制御手段への電力供給遮断の過渡状態においても、確実に、電力開閉手段のＯＦＦ信号を供給することができる。
【００２５】
具体的には、電力開閉手段に、トランジスタ等を使用する場合、そのベースへの信号供給を加熱方法選択手段から供給することとなるが、当該加熱方法選択手段からの電力開閉手段に対する信号供給方法が、制御手段からの電力供給に基づく場合、制御手段の電力が遮断される過渡期において、加熱方法選択手段から電力開閉手段への信号供給が不安定となる可能性があり、当該可能性を効果的に抑制するために、前記過熱方法選択手段からの信号供給の基礎をロータリースイッチ等のメカ式接点を採用するものである。
【産業上の利用可能性】
【００２６】
以上のように、本発明の加熱調理器は、使用者が任意にかつ容易に待機時電力削減が可能となるため、加熱調理器のみならず他の家電機器への展開も図れる。
【図面の簡単な説明】
【００２７】
【図１】本発明の実施の形態１における加熱調理器の構成図
【図２】従来の家電機器の構成図
【符号の説明】
【００２８】
１  制御手段
２  加熱手段
３  電源回路
４  電力開閉手段
５  加熱方法選択手段
６  加熱条件設定手段
【図１】
2006017447.tif 000003
【図２】
2006017447.tif 000004